(57)【要約】【課題】挿入部の逆転が防止され、プラグがレセプタクルから外れることがなく、ケーブルの着脱が可能でありながらケーブルの不要な接続解除を防止することができ、信頼性が高くなるようにする。【解決手段】円柱状の挿入部と、挿入部の側面から突出するロック爪部とを備えるプラグと、挿入部の少なくとも前端部を収容する嵌合凹部と、嵌合面に形成され、嵌合凹部と連通する挿入開口とを備えるレセプタクルとを有し、挿入開口は、挿入部が通過する円筒状部と、ロック爪部が通過する凹部とを含み、嵌合凹部内には、ロック爪部に当接するばね部材が配設され、挿入部が挿入開口に挿入され、ロック爪部が凹部を通過して嵌合凹部内に収容された後、挿入部が回転させられると、ばね部材のばね力によって、挿入部を更に回転させるモーメントがロック爪部に作用する。【選択図】図１
2013026768.tif 000002
【特許請求の範囲】
【請求項１】
（ａ）イヤホンが備える音を発生するドライバユニットと、ケーブルとを電気的に接続するイヤホン用コネクタであって、
（ｂ）円柱状の挿入部と、該挿入部の側面から突出するロック爪部とを備えるプラグと、
（ｃ）前記挿入部の少なくとも前端部を収容する嵌合凹部と、嵌合面に形成され、前記嵌合凹部と連通する挿入開口とを備えるレセプタクルとを有し、
（ｄ）前記挿入開口は、前記挿入部が通過する円筒状部と、前記ロック爪部が通過する凹部とを含み、前記嵌合凹部内には、前記ロック爪部に当接するばね部材が配設され、
（ｅ）前記挿入部が挿入開口に挿入され、前記ロック爪部が凹部を通過して嵌合凹部内に収容された後、前記挿入部が回転させられると、前記ばね部材のばね力によって、前記挿入部を更に回転させるモーメントが前記ロック爪部に作用することを特徴とするイヤホン用コネクタ。
【請求項２】
前記ロック爪部は、前記挿入部の半径方向に該挿入部の側面から突出し、
前記ばね部材は、前記ロック爪部の頂部と当接して変形させられることによって、前記挿入部の中心軸に向けた方向のばね力を発揮し、
前記挿入部が回転させられ、前記ロック爪部の突出する方向が前記ばね力の方向に対して傾くと、前記モーメントが前記ロック爪部に作用する請求項１に記載のイヤホン用コネクタ。
【請求項３】
前記挿入開口は、前記凹部に隣接して形成された抜止め部を含み、
前記挿入部が挿入開口に挿入され、前記ロック爪部が凹部を通過して嵌合凹部内に収容された後、前記挿入部が回転させられると、前記抜止め部が前記ロック爪部を掛止し、前記挿入部が挿入開口から抜出ることを防止する請求項１又は２に記載のイヤホン用コネクタ。
【請求項４】
前記嵌合凹部は、前記挿入部の回転を所定回転角度で停止させるストッパを含む請求項１〜３のいずれか１項に記載のイヤホン用コネクタ。
【請求項５】
前記ロック爪部は、単数又は複数である請求項１〜４のいずれか１項に記載のイヤホン用コネクタ。
【請求項６】
前記ロック爪部はプラグ端子であり、前記ばね部材はレセプタクル端子であり、前記ロック爪部とばね部材とは当接することによって導通する請求項１〜５のいずれか１項に記載のイヤホン用コネクタ。
【請求項７】
前記プラグは、前記挿入部の側面から突出するロック補助爪部を更に備え、
前記挿入開口は、前記ロック補助爪部が通過する補助凹部と、該補助凹部に隣接して形成された補助抜止め部とを更に含み、
前記挿入部が挿入開口に挿入され、前記ロック補助爪部が補助凹部を通過して嵌合凹部内に収容された後、前記挿入部が回転させられると、前記補助抜止め部が前記ロック補助爪部を掛止し、前記挿入部が挿入開口から抜出ることを防止する請求項１〜６のいずれか１項に記載のイヤホン用コネクタ。
【発明の詳細な説明】
【技術分野】
【０００１】
本発明は、イヤホン用コネクタに関するものである。
【背景技術】
【０００２】
従来、耳介に装着されて使用されるイヤホンとして、外耳道に挿入される突起部を備えていない、いわゆるイヤホン型ヘッドホンと呼ばれるタイプのものが知られている（例えば、特許文献１参照。）。
【０００３】
図１３は従来のイヤホンとケーブルとの接続構造を示す図である。
【０００４】
図において、８１１はイヤホンのハウジングであり、該ハウジング８１１の内部には振動板等を備える図示されないドライバユニットが装着されている。そして、イヤホンの前面、すなわち、振動板の前方には、比較的大きな多数の開口を備えるメッシュ状の保護板８４８が配設されている。
【０００５】
また、８１３はイヤホンの後部ハウジングであり、その内部にダクト状のケーブル保持部８１５が延出し、該ケーブル保持部８１５内には一端がドライバユニットに接続され、他端が音楽プレーヤ、テレビ、ラジオ、ビデオデッキ等の図示されない音響機器に接続される電線ケーブル８９１が収容されている。
【０００６】
イヤホンを耳介の凹部に装着すると、イヤホンの前面に配設された保護板８４８が外耳道の入口に対向し、振動板の振動によって発生した音が、保護板８４８の開口を通して外耳道の内部に入射し、鼓膜に到達する。
【先行技術文献】
【特許文献】
【０００７】
【特許文献１】特開平１０−１５０６９３号公報
【発明の概要】
【発明が解決しようとする課題】
【０００８】
しかしながら、前記従来のイヤホンにおいては、イヤホンと電線ケーブル８９１とが一体的に接続されているので、電線ケーブル８９１に断線等の不具合が発生した場合にも、電線ケーブル８９１とともにイヤホンをも交換しなければならず、コストが高くなってしまう。
【０００９】
もっとも、電線ケーブル８９１を差込式のジャックを使用して接続するようにして、電線ケーブル８９１を取外し可能としたイヤホンも提案されている。しかし、差込式のジャックは保持力が小さいので、使用中に電線ケーブル８９１が引張られると、容易に接続が解除されてしまう。そこで、差込んだ後にジャックを回転させてジャックに形成された突起を係合させることも提案されているが、ジャックが回転しやすいので、電線ケーブル８９１が引張られると、同様に、容易に接続が解除されてしまう。
【００１０】
本発明は、前記従来の問題点を解決して、プラグの挿入部をレセプタクルの挿入開口に挿入した後に回転させると、レセプタクルに配設されたばね部材が挿入部を更に回転させるモーメントを発生するようにして、挿入部の逆転が防止され、プラグがレセプタクルから外れることがなく、ケーブルの着脱が可能でありながらケーブルの不要な接続解除を防止することができ、信頼性の高いイヤホン用コネクタを提供することを目的とする。
【課題を解決するための手段】
【００１１】
そのために、本発明のイヤホン用コネクタにおいては、イヤホンが備える音を発生するドライバユニットと、ケーブルとを電気的に接続するイヤホン用コネクタであって、円柱状の挿入部と、該挿入部の側面から突出するロック爪部とを備えるプラグと、前記挿入部の少なくとも前端部を収容する嵌（かん）合凹部と、嵌合面に形成され、前記嵌合凹部と連通する挿入開口とを備えるレセプタクルとを有し、前記挿入開口は、前記挿入部が通過する円筒状部と、前記ロック爪部が通過する凹部とを含み、前記嵌合凹部内には、前記ロック爪部に当接するばね部材が配設され、前記挿入部が挿入開口に挿入され、前記ロック爪部が凹部を通過して嵌合凹部内に収容された後、前記挿入部が回転させられると、前記ばね部材のばね力によって、前記挿入部を更に回転させるモーメントが前記ロック爪部に作用する。
【００１２】
本発明の他のイヤホン用コネクタにおいては、さらに、前記ロック爪部は、前記挿入部の半径方向に該挿入部の側面から突出し、前記ばね部材は、前記ロック爪部の頂部と当接して変形させられることによって、前記挿入部の中心軸に向けた方向のばね力を発揮し、前記挿入部が回転させられ、前記ロック爪部の突出する方向が前記ばね力の方向に対して傾くと、前記モーメントが前記ロック爪部に作用する。
【００１３】
本発明の更に他のイヤホン用コネクタにおいては、さらに、前記挿入開口は、前記凹部に隣接して形成された抜止め部を含み、前記挿入部が挿入開口に挿入され、前記ロック爪部が凹部を通過して嵌合凹部内に収容された後、前記挿入部が回転させられると、前記抜止め部が前記ロック爪部を掛止し、前記挿入部が挿入開口から抜出ることを防止する。
【００１４】
本発明の更に他のイヤホン用コネクタにおいては、さらに、前記嵌合凹部は、前記挿入部の回転を所定回転角度で停止させるストッパを含む。
【００１５】
本発明の更に他のイヤホン用コネクタにおいては、さらに、前記ロック爪部は、単数又は複数である。
【００１６】
本発明の更に他のイヤホン用コネクタにおいては、さらに、前記ロック爪部はプラグ端子であり、前記ばね部材はレセプタクル端子であり、前記ロック爪部とばね部材とは当接することによって導通する。
【００１７】
本発明の更に他のイヤホン用コネクタにおいては、さらに、前記プラグは、前記挿入部の側面から突出するロック補助爪部を更に備え、前記挿入開口は、前記ロック補助爪部が通過する補助凹部と、該補助凹部に隣接して形成された補助抜止め部とを更に含み、前記挿入部が挿入開口に挿入され、前記ロック補助爪部が補助凹部を通過して嵌合凹部内に収容された後、前記挿入部が回転させられると、前記補助抜止め部が前記ロック補助爪部を掛止し、前記挿入部が挿入開口から抜出ることを防止する。
【発明の効果】
【００１８】
本発明によれば、プラグの挿入部をレセプタクルの挿入開口に挿入した後に回転させると、レセプタクルに配設されたばね部材が挿入部を更に回転させるモーメントを発生する。これにより、挿入部の逆転が防止され、プラグがレセプタクルから外れることがなく、ケーブルの着脱が可能でありながらケーブルの不要な接続解除を防止することができ、信頼性を向上させることができる。
【図面の簡単な説明】
【００１９】
【図１】本発明の第１の実施の形態におけるイヤホンの断面図であって図２（ｃ）におけるＡ−Ａ矢視断面図である。
【図２】本発明の第１の実施の形態におけるイヤホンを示す五面図であり、（ａ）は上面図、（ｂ）は左側面図、（ｃ）は背面図、（ｄ）は右側面図、（ｅ）は正面図である。
【図３】本発明の第１の実施の形態におけるイヤホン用コネクタの斜視図であり、（ａ）はプラグをレセプタクルに差込んだ状態を示す斜視図、（ｂ）はプラグをレセプタクルに差込む前の状態を示す第１の斜視図、（ｃ）はプラグをレセプタクルに差込む前の状態を示す第２の斜視図である。
【図４】本発明の第１の実施の形態におけるイヤホン用コネクタの嵌合前の状態を示す二面図であり、（ａ）は側面図、（ｂ）は下面図である。
【図５】本発明の第１の実施の形態におけるイヤホン用コネクタの動作を説明する図であり、（ａ）はプラグをレセプタクルに差込んだ状態を示す側面図、（ｂ−１）はプラグをレセプタクルに差込んだ状態を示す下面図、（ｂ−２）は（ｂ−１）におけるレセプタクルのハウジング部分の図示を省略した図、（ｃ−１）はプラグをレセプタクルに差込んだ状態を示す背面図、（ｃ−２）は（ｃ−１）におけるレセプタクルのハウジング部分の図示を省略した図、（ｄ−１）はプラグをレセプタクルに差込んだ状態で回転させた背面図、（ｄ−２）は（ｄ−１）におけるレセプタクルのハウジング部分の図示を省略した図である。
【図６】本発明の第１の実施の形態におけるイヤホン用コネクタの動作を説明する断面図であり、（ａ）は図５（ｃ−１）におけるＢ−Ｂ矢視断面図、（ｂ）は図５（ｄ−１）におけるＣ−Ｃ矢視断面図である。
【図７】本発明の第２の実施の形態におけるイヤホン用コネクタの斜視図であり、（ａ）はプラグをレセプタクルに差込んだ状態を示す斜視図、（ｂ）はプラグをレセプタクルに差込む前の状態を示す第１の斜視図、（ｃ）はプラグをレセプタクルに差込む前の状態を示す第２の斜視図である。
【図８】本発明の第２の実施の形態におけるイヤホン用コネクタの嵌合前の状態を示す二面図であり、（ａ）は側面図、（ｂ）は下面図である。
【図９】本発明の第２の実施の形態におけるイヤホン用コネクタの動作を説明する図であり、（ａ）はプラグをレセプタクルに差込んだ状態を示す側面図、（ｂ）はプラグをレセプタクルに差込んだ状態を示す下面図、（ｃ）はプラグをレセプタクルに差込んだ状態を示す背面図、（ｄ）はプラグをレセプタクルに差込んだ状態で回転させた側面図、（ｅ）はプラグをレセプタクルに差込んだ状態で回転させた背面図である。
【図１０】本発明の第３の実施の形態におけるイヤホン用コネクタの斜視図であり、（ａ）はプラグをレセプタクルに差込んだ状態を示す斜視図、（ｂ）はプラグをレセプタクルに差込む前の状態を示す第１の斜視図、（ｃ）はプラグをレセプタクルに差込む前の状態を示す第２の斜視図である。
【図１１】本発明の第３の実施の形態におけるイヤホン用コネクタの嵌合前の状態を示す二面図であり、（ａ）は側面図、（ｂ）は下面図である。
【図１２】本発明の第３の実施の形態におけるイヤホン用コネクタの動作を説明する図であり、（ａ）はプラグをレセプタクルに差込んだ状態を示す側面図、（ｂ）はプラグをレセプタクルに差込んだ状態を示す下面図、（ｃ）はプラグをレセプタクルに差込んだ状態を示す背面図、（ｄ）はプラグをレセプタクルに差込んだ状態で回転させた側面図、（ｅ）はプラグをレセプタクルに差込んだ状態で回転させた背面図である。
【図１３】従来のイヤホンとケーブルとの接続構造を示す図である。
【発明を実施するための形態】
【００２０】
以下、本発明の実施の形態について図面を参照しながら詳細に説明する。
【００２１】
図１は本発明の第１の実施の形態におけるイヤホンの断面図であって図２（ｃ）におけるＡ−Ａ矢視断面図、図２は本発明の第１の実施の形態におけるイヤホンを示す五面図である。なお、図２において、（ａ）は上面図、（ｂ）は左側面図、（ｃ）は背面図、（ｄ）は右側面図、（ｅ）は正面図である。
【００２２】
図において、１０は本実施の形態におけるイヤホンであり、使用者の耳介に装着されて使用され、電気信号である音声信号によって駆動され、音声信号を再生する小型の音声発生器である。そして、前記イヤホン１０は、音声信号を再生して音を発生するスピーカユニットとしてのドライバユニット４１を内蔵するハウジングとしての筐（きょう）体１１を有し、さらに、第１使用例として、筐体１１に取付けられ、少なくともその先端部７５が使用者の外耳道に挿入可能な外耳道挿入部材としてのイヤーピース７０を有する。
【００２３】
前記筐体１１は、その正面側に位置する前筐体１２と、該前筐体１２の基部１２ａの後側に結合される円錐（すい）台状の後筐体１３とを備える。そして、ドライバユニット４１は、図１に示されるように、前筐体１２と後筐体１３とによって前後（図１おける上下）が挟込まれた状態で、前記筐体１１内に保持される。なお、ドライバユニット４１は、いわゆるダイナミック型のものであって、図示されない振動板を振動させて音を発生する。
【００２４】
そして、後筐体１３の後面を塞（ふさ）ぐ後面部１３ａは、ほぼ平板状の部材であり、これにより、筐体１１内におけるドライバユニット４１の後方（図１における下方）に、全体的には円筒状の形状、より詳細には円錐台と円筒とを組合せた形状の空間である後方空間２４が形成される。なお、前記筐体１１は、比重が比較的大きな硬質の樹脂で形成されている。
【００２５】
また、本実施の形態において、イヤホン１０及びその他の部材の各部の構成及び動作を説明するために使用される上、下、左、右、前、後等の方向を示す表現は、絶対的なものでなく相対的なものであり、イヤホン１０及びその他の部材が図に示される姿勢である場合に適切であるが、イヤホン１０及びその他の部材の姿勢が変化した場合には、姿勢の変化に応じて変更して解釈されるべきものである。
【００２６】
前記前筐体１２は、円筒状の基部１２ａに加えて、該基部１２ａから前方に向けて突出する円錐台状の円錐部１６と、該円錐部１６の先端から突出する筒状の挿入部取付部１７とを含んでいる。前記円錐部１６は、その先端の径がその基端（基部１２ａに接続される部分）よりも小さく、これにより、筐体１１内におけるドライバユニット４１の前方（図１における上方）に、円錐台状の空間である前方空間２１が形成される。また、前記挿入部取付部１７には、後端が前方空間２１に連通し、前端が開放された円筒状開口である音導孔（こう）としての筐体音導孔２２が形成されている。これにより、ドライバユニット４１が発生した音が、前方空間２１及び筐体音導孔２２を通して使用者の外耳道に入射する。なお、円錐部１６は、その先端の軸心が基端の軸心と一致するように形成されている。
【００２７】
そして、前記イヤーピース７０は、一体成形された部材であり、筒状の本体部７１と、該本体部７１の先端から後端に向けて外面が斜めに広がる肉厚の膨出部７４とを備える。なお、本体部７１の膨出部７４よりも後方に延在する部分は取付部７２となっている。該取付部７２は、筐体１１の挿入部取付部１７の内周面、すなわち、筐体音導孔２２の周面に形成された収容凹部１７ａに挿入される。
【００２８】
また、本体部７１の中心には、前後端が開放された円筒状開口である音導孔としてのピース音導孔７３が形成されている。挿入部取付部１７にイヤーピース７０が取付けられた状態で、ピース音導孔７３は筐体音導孔２２と連通する。なお、前記ピース音導孔７３の内径は、筐体音導孔２２の内径と同等の値であることが望ましい。
【００２９】
前記膨出部７４は、円錐台のような外形を有し、先端部７５の外径が最小であり、下方に行くほど外径が拡大するようになっている。つまり、膨出部７４は、その外面が先細のテーパ面となっているので、外耳道に容易に挿入することができる。なお、膨出部７４の最大外径は、筐体１１の挿入部取付部１７の上端の外径よりも大きいことが望ましい。
【００３０】
そして、イヤーピース７０の膨出部７４は、外耳道に挿入された際に、外耳道の内面を押圧して変形させ、外耳道の内面の少なくとも一部を膨出部７４の外面に密着させるようになっている。この場合、膨出部７４の外面が先細のテーパ面となっているので、膨出部７４を外耳道に挿入する際に、外耳道の内面をスムーズに変形させることができ、外耳道に損傷を与えることがなく、外耳道の内面の膨出部７４の外面への密着性が高く、装着感、フィット感等が良好となる。
【００３１】
さらに、前記後筐体１３には、イヤホン用コネクタの一方として機能する雌コネクタとしてのレセプタクル５０が配設されている。具体的には、該レセプタクル５０のハウジング部分が、前記後筐体１３と一体化されている。そして、前記レセプタクル５０は、ドライバユニット４１に電気的に接続されている。また、前記レセプタクル５０には、イヤホン用コネクタの他方として機能する雄コネクタとしてのプラグ９０が嵌合されている。具体的には、該プラグ９０の先端の挿入部９２がレセプタクル５０に差込まれている。
【００３２】
そして、前記プラグ９０には、ドライバユニット４１に通電されるケーブルとしての電線ケーブル９１が終端されている。すなわち、電線ケーブル９１の端部が接続されている。図に示される例において、電線ケーブル９１は、プラグ９０のケーブル保持部９３の後端から延出する。なお、図示の都合上、電線ケーブル９１は、ケーブル保持部９３に近接する部分のみが描画され、他の部分は描画が省略されている。そして、電線ケーブル９１の図示されない他端には、音楽プレーヤ、テレビ、ラジオ、ビデオデッキ等の図示されない音響機器が接続される。
【００３３】
次に、前記イヤホン用コネクタの構成及び動作について説明する。
【００３４】
図３は本発明の第１の実施の形態におけるイヤホン用コネクタの斜視図、図４は本発明の第１の実施の形態におけるイヤホン用コネクタの嵌合前の状態を示す二面図、図５は本発明の第１の実施の形態におけるイヤホン用コネクタの動作を説明する図、図６は本発明の第１の実施の形態におけるイヤホン用コネクタの動作を説明する断面図である。なお、図３において、（ａ）はプラグをレセプタクルに差込んだ状態を示す斜視図、（ｂ）はプラグをレセプタクルに差込む前の状態を示す第１の斜視図、（ｃ）はプラグをレセプタクルに差込む前の状態を示す第２の斜視図であり、図４において、（ａ）は側面図、（ｂ）は下面図であり、図５において、（ａ）はプラグをレセプタクルに差込んだ状態を示す側面図、（ｂ−１）はプラグをレセプタクルに差込んだ状態を示す下面図、（ｂ−２）は（ｂ−１）におけるレセプタクルのハウジング部分の図示を省略した図、（ｃ−１）はプラグをレセプタクルに差込んだ状態を示す背面図、（ｃ−２）は（ｃ−１）におけるレセプタクルのハウジング部分の図示を省略した図、（ｄ−１）はプラグをレセプタクルに差込んだ状態で回転させた背面図、（ｄ−２）は（ｄ−１）におけるレセプタクルのハウジング部分の図示を省略した図であり、図６において、（ａ）は図５（ｃ−１）におけるＢ−Ｂ矢視断面図、（ｂ）は図５（ｄ−１）におけるＣ−Ｃ矢視断面図である。
【００３５】
図に示されるように、プラグ９０は、円筒状のケーブル保持部９３の前端から前方に向けて延出する円柱状の挿入部９２と、該挿入部９２の側面に配設されたロック爪部として機能する一対の係合凸部９４とを備える。該係合凸部９４は、前記ケーブル保持部９３の円筒状周面における互いに対向する位置に配設された軸方向に延在する鰭（ひれ）状の突出する部材であり、挿入部９２の半径方向に該挿入部９２の側面から突出する。そして、前記係合凸部９４は、少なくともその頂部、すなわち、峰の表面は金属等の導電性部材から成り、電線ケーブル９１が含む図示されない導電性の芯（しん）線に、それぞれ、接続されている。換言すると、一対の係合凸部９４は、ロック爪部として機能するだけでなく、雄コネクタとしてのプラグ９０の端子、すなわち、プラグ端子として機能する部材であり、挿入部９２の中心軸に関して１８０度対称となるように、配設されている。
【００３６】
なお、レセプタクル５０は、前述のようにイヤホン１０の後筐体１３と一体的に形成された部材であるが、図３〜６においては、説明の都合上、後筐体１３及びイヤホン１０におけるレセプタクル５０以外の部分の描画が省略されている。
【００３７】
前記レセプタクル５０の内部には、前記挿入部９２の少なくとも前端部を収容する空洞状の嵌合凹部５３が形成され、該嵌合凹部５３の後端は、図３（ｃ）に示されるように、前記レセプタクル５０の後端に開口している。また、図３（ｂ）に示されるように、前記レセプタクル５０の前端には、プラグ９０と対向する平坦（たん）な面、すなわち、嵌合面５０ａが形成され、該嵌合面５０ａには、プラグ９０の挿入部９２が挿入される挿入開口５２が形成されている。なお、該挿入開口５２は、レセプタクル５０の内部において、嵌合凹部５３と連通する。
【００３８】
前記挿入開口５２は、断面が円形の円筒状部５２ｃと、該円筒状部５２ｃの側面から凹入する凹部としての一対の係合凹部５２ａを含んでいる。該係合凹部５２ａは、プラグ９０の係合凸部９４が進入する部分であり、円筒状部５２ｃの中心軸に関して１８０度対称となるように、配設されている。また、前記係合凹部５２ａの上下に隣接する部分は、レセプタクル５０の前後方向に延在する挿入開口壁部材５２ｂであり、前記係合凸部９４の後端を掛止してプラグ９０の抜けを防止する抜止め部として機能する。なお、前記嵌合凹部５３は、概略矩（く）形断面を備え、レセプタクル５０の前後方向に延在するとともに互いに対向する一対の第１側壁５３ａ及び一対の第２側壁５３ｂを備える。
【００３９】
また、前記嵌合凹部５３内には、図６（ａ）に示されるように、レセプタクル５０の端子、すなわち、レセプタクル端子として機能する一対の端子部材６１が配設されている。該端子部材６１は、前記嵌合凹部５３の対向する一対の第２側壁５３ｂにそれぞれ配設され、上方から観ると、略Ｊ字状の形状を備える金属製の板部材であり、弾性を備える。具体的には、前記端子部材６１は、嵌合凹部５３の第２側壁５３ｂに沿って直線的に延在する本体部６１ｃと、該本体部６１ｃの前端に、ほぼ１８０度湾曲するように接続され、その先端が前記本体部６１ｃの後端に向けて延在する接触ばね部６１ａと、該接触ばね部６１ａの先端寄りに形成された接触凸部６１ｂとを備える。前記接触ばね部６１ａは、弾性を備え、ばね部材として機能する。また、前記接触凸部６１ｂは、嵌合凹部５３の中心に向って突出し、互いに対向する。
【００４０】
さらに、前記端子部材６１の本体部６１ｃの後端には、図５（ｂ−２）、（ｃ−２）及び（ｄ−２）に示されるように、金属製の細長い板部材から成る接続テール部６２が一体的に接続されている。該接続テール部６２は、その後端に形成され、レセプタクル５０の後端より後方に突出する接続端部６２ａを含んでいる。該接続端部６２ａは、はんだ付等の接続手段によって、前記ドライバユニット４１に導電可能に接続される部分であり、レセプタクル５０の上面寄りに位置する。
【００４１】
そして、プラグ９０をレセプタクル５０に嵌合する際には、イヤホン１０の使用者は、まず、図３（ｂ）及び（ｃ）並びに図４に示されるように、プラグ９０の先端面をレセプタクル５０の嵌合面５０ａに対向させ、プラグ９０の中心軸と挿入開口５２の中心軸とが同軸となるように整列させ、さらに、係合凸部９４と係合凹部５２ａとが対向するように、プラグ９０の姿勢を整える。
【００４２】
この状態で、プラグ９０及び／又はレセプタクル５０を相手側に接近する方向に移動させ、挿入部９２を挿入開口５２に挿入する。すると、挿入部９２は円筒状部５２ｃを通って嵌合凹部５３内に進入する。また、係合凸部９４も係合凹部５２ａを通って嵌合凹部５３内に進入する。そして、挿入部９２の挿入開口５２への挿入が完了すると、すなわち、プラグ９０がレセプタクル５０に差込まれると、図３（ａ）、図５（ａ）、（ｂ−１）、（ｂ−２）、（ｃ−１）及び（ｃ−２）並びに図６（ａ）に示されるような状態になる。
【００４３】
この場合、図６（ａ）に示されるように、係合凸部９４の後端（図における左端）は、係合凹部５２ａを通り越して、挿入開口壁部材５２ｂの後端（図における右端）よりもレセプタクル５０の後端寄りに位置する。すなわち、係合凸部９４の全体が、係合凹部５２ａを通り越して、嵌合凹部５３内に位置している。また、図５（ｂ−２）及び６（ａ）に示されるように、係合凸部９４が端子部材６１の接触凸部６１ｂに当接し、接触ばね部６１ａを弾性的に変形させる。
【００４４】
該接触ばね部６１ａは、荷重が付与されない状態、すなわち、初期状態としての自由状態では、対向する接触凸部６１ｂ同士間の距離が、対向する係合凸部９４の峰同士間の距離よりも短くなるように、設定されている。そのため、プラグ９０がレセプタクル５０に差込まれ、係合凸部９４が嵌合凹部５３内における対向する接触凸部６１ｂ同士間に進入すると、接触凸部６１ｂ同士の間隔が係合凸部９４によって押広げられ、図５（ｂ−２）及び６（ａ）に示されるように、接触ばね部６１ａが弾性的に変形する。この場合、接触ばね部６１ａは、そのばね性によって元の形状に復元しようとするので、係合凸部９４は、接触凸部６１ｂによって挟込まれる。すなわち、各接触凸部６１ｂは、接触ばね部６１ａの発揮するばね力によって、係合凸部９４の峰に押圧される。
【００４５】
続いて、イヤホン１０の使用者は、レセプタクル５０に対してプラグ９０を回転させる。なお、回転させる方向は、いずれでもよいが、図に示される例では、図５（ｄ−１）及び（ｄ−２）に示されるように、レセプタクル５０の後方から観て、反時計回り方向である。すると、係合凸部９４と係合凹部５２ａとの位置がずれることになり、図６（ｂ）に示されるように、係合凸部９４の後端（図における左端）は、挿入開口壁部材５２ｂの後端（図における右端）に対向する。すなわち、係合凸部９４がロック爪部として機能し、その後端が挿入開口壁部材５２ｂに掛止されるので、プラグ９０がロックされてレセプタクル５０から抜出ることが禁止される。
【００４６】
また、プラグ９０が回転すると、一対の係合凸部９４の中心同士を結ぶ軸が対向する接触凸部６１ｂの中心同士を結ぶ軸に対して傾斜する。ここで、各接触凸部６１ｂが、接触ばね部６１ａの発揮するばね力によって係合凸部９４の峰を押圧する力は、接触凸部６１ｂの中心同士を結ぶ軸に平行に作用するのであるから、プラグ９０が反時計回り方向に回転することによって一対の係合凸部９４の中心同士を結ぶ軸が傾斜すると、プラグ９０を更に反時計回り方向に回転させるようなモーメントが発生して係合凸部９４に作用することになる。換言すると、係合凸部９４は、挿入部９２の半径方向に該挿入部９２の側面から突出し、接触ばね部６１ａは、係合凸部９４の頂部と当接して変形させられることによって、挿入部９２の中心軸に向けた方向のばね力を発揮するのであるから、挿入部９２が回転させられ、係合凸部９４の突出する方向がばね力の方向に対して傾くと、挿入部９２を更に回転させるモーメントが係合凸部９４に作用する。そのため、プラグ９０は、更に反時計回り方向に回転する。
【００４７】
しかし、プラグ９０がある程度回転すると、図５（ｄ−１）に示されるように、係合凸部９４の先端が嵌合凹部５３の第１側壁５３ａにそれぞれ当接するので、プラグ９０の回転が停止する。つまり、第１側壁５３ａは、プラグ９０の回転を所定回転角度で停止させるストッパとして機能する。なお、前記所定回転角度は、例えば、約２０度であるが、任意の角度に設定することができる。
【００４８】
また、図５（ｄ−１）に示されるように、プラグ９０が回転した状態では、接触凸部６１ｂの中心同士を結ぶ軸に平行な方向に関する係合凸部９４の峰同士間の距離が短くなる。しかし、この状態でも、接触凸部６１ｂが係合凸部９４の峰を押圧するように、接触ばね部６１ａは、あらかじめ設定されている。つまり、図５（ｄ−１）に示されるように、プラグ９０が所定回転角度だけ回転した状態において、接触ばね部６１ａは、やや復元するものの完全には復元しておらず、依然としてばね力を発揮しており、そのため、係合凸部９４の峰は接触凸部６１ｂによって押圧されている。したがって、プラグ９０は、依然として、反時計回り方向に回転するようなモーメントを接触凸部６１ｂから受続けている。
【００４９】
これにより、振動その他の外力をイヤホン１０や電線ケーブル９１が受けた場合であっても、プラグ９０が逆方向に回転することがないので、係合凸部９４の後端が挿入開口壁部材５２ｂに掛止された状態が維持され、プラグ９０がレセプタクル５０から抜出ることが確実に防止される。
【００５０】
なお、イヤホン１０の使用者が手指によって操作してプラグ９０を回転させる場合には、使用者の手指の発揮する力は、接触ばね部６１ａのばね力よりも十分に大きいので、前記モーメントに逆らってプラグ９０を逆方向に回転させることが可能である。したがって、イヤホン１０の使用者がプラグ９０をレセプタクル５０から抜くことには、何ら支障がない。
【００５１】
また、本実施の形態においては、プラグ９０を回転させる方向が、レセプタクル５０の後方から観て、反時計回り方向である場合について説明したが、時計回り方向であってもよい。
【００５２】
さらに、本実施の形態においては、レセプタクル５０がイヤホン１０の筐体１１に配設され、プラグ９０が電線ケーブル９１の端部に接続されている場合について説明したが、プラグ９０がイヤホン１０の筐体１１に配設され、レセプタクル５０が電線ケーブル９１の端部に接続されていてもよい。つまり、レセプタクル５０及びプラグ９０のうちのいずれか一方がイヤホン１０に配設され、他方が電線ケーブル９１に接続されていればよい。さらに、レセプタクル５０及びプラグ９０のうちのいずれか一方が、イヤホン１０に一端が接続された電線ケーブル９１の他端に接続され、他方が、音響機器に一端が接続された電線ケーブル９１の他端に接続されていてもよい。
【００５３】
さらに、本実施の形態においては、係合凸部９４が一対、すなわち、二つである場合についてのみ説明したが、係合凸部９４の数は、三つであってもよいし、四つ以上であってもよい。この場合、挿入部９２の中心軸の周囲を三等分、四等分又はそれ以上に分割した位置の各々に係合凸部９４を配設すればよい。つまり、円筒面である挿入部９２の側面を三等分、四等分又はそれ以上に分割した位置の各々に、係合凸部９４を配設すればよい。また、係合凹部５２ａ及び端子部材６１も、それぞれ、係合凸部９４に対応するように配設すればよい。これにより、イヤホン用コネクタを三極、四極又はそれ以上の多極のコネクタにすることができる。
【００５４】
このように、本実施の形態におけるイヤホン用コネクタは、円柱状の挿入部９２と、挿入部９２の側面から突出する係合凸部９４とを備えるプラグ９０と、挿入部９２の少なくとも前端部を収容する嵌合凹部５３と、嵌合面５０ａに形成され、嵌合凹部５３と連通する挿入開口５２とを備えるレセプタクル５０とを有する。そして、挿入開口５２は、挿入部９２が通過する円筒状部５２ｃと、係合凸部９４が通過する係合凹部５２ａとを含み、嵌合凹部５３内には、係合凸部９４に当接する接触ばね部６１ａが配設され、挿入部９２が挿入開口５２に挿入され、係合凸部９４が係合凹部５２ａを通過して嵌合凹部５３内に収容された後、挿入部９２が回転させられると、接触ばね部６１ａのばね力によって、挿入部９２を更に回転させるモーメントが係合凸部９４に作用する。
【００５５】
これにより、挿入部９２の逆方向への回転が防止され、プラグ９０がレセプタクル５０から外れることがなくなり、電線ケーブル９１の着脱が可能でありながら電線ケーブル９１の不要な接続解除を防止することができるので、信頼性の高いイヤホン用コネクタを提供することができる。
【００５６】
また、係合凸部９４は、挿入部９２の半径方向に挿入部９２の側面から突出し、接触ばね部６１ａは、係合凸部９４の頂部と当接して変形させられることによって、挿入部９２の中心軸に向けた方向のばね力を発揮し、挿入部９２が回転させられ、係合凸部９４の突出する方向がばね力の方向に対して傾くと、モーメントが係合凸部９４に作用する。
【００５７】
これにより、挿入部９２は、回転方向に更に回転させられる。また、挿入部９２を逆方向に回転させようとすると、接触ばね部６１ａがより大きく変形させられることによって、より大きなモーメントが作用することとなるので、挿入部９２の逆方向の回転が効果的に防止される。そのため、振動その他の外力がプラグ９０やレセプタクル５０に作用しても、挿入部９２が逆方向に回転しないので、挿入部９２が挿入開口５２から不要に抜出ることがない。
【００５８】
さらに、挿入開口５２は、係合凹部５２ａに隣接して形成された挿入開口壁部材５２ｂを含み、挿入部９２が挿入開口５２に挿入され、係合凸部９４が係合凹部５２ａを通過して嵌合凹部５３内に収容された後、挿入部９２が回転させられると、挿入開口壁部材５２ｂが係合凸部９４を掛止し、挿入部９２が挿入開口５２から抜出ることを防止する。
【００５９】
これにより、挿入部９２が挿入開口５２から不要に抜出ることが確実に防止されるので、イヤホン用コネクタの信頼性を向上させることができる。
【００６０】
さらに、嵌合凹部５３は、挿入部９２の回転を所定回転角度で停止させる第１側壁５３ａを含む。これにより、挿入部９２の一方向への回転が停止するとともに、係合凸部９４が接触ばね部６１ａと当接してモーメントを受けることのできる回転角度内に挿入部９２の回転角度を維持することができるので、挿入部９２の逆方向への回転も防止される。つまり、挿入部９２は、いずれの方向へも回転することがないので、プラグ９０とレセプタクル５０との接続状態が安定する。
【００６１】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６２】
図７は本発明の第２の実施の形態におけるイヤホン用コネクタの斜視図、図８は本発明の第２の実施の形態におけるイヤホン用コネクタの嵌合前の状態を示す二面図、図９は本発明の第２の実施の形態におけるイヤホン用コネクタの動作を説明する図である。なお、図７において、（ａ）はプラグをレセプタクルに差込んだ状態を示す斜視図、（ｂ）はプラグをレセプタクルに差込む前の状態を示す第１の斜視図、（ｃ）はプラグをレセプタクルに差込む前の状態を示す第２の斜視図であり、図８において、（ａ）は側面図、（ｂ）は下面図であり、図９において、（ａ）はプラグをレセプタクルに差込んだ状態を示す側面図、（ｂ）はプラグをレセプタクルに差込んだ状態を示す下面図、（ｃ）はプラグをレセプタクルに差込んだ状態を示す背面図、（ｄ）はプラグをレセプタクルに差込んだ状態で回転させた側面図、（ｅ）はプラグをレセプタクルに差込んだ状態で回転させた背面図である。
【００６３】
なお、図７〜９に示されるレセプタクル５０は、前記第１の実施の形態で説明した図３〜６に示されるレセプタクル５０と形状が異なる。しかしながら、レセプタクル５０は、前述のようにイヤホン１０の後筐体１３と一体的に形成された部材である場合であっても、図７〜９に示される例も、図３〜６に示される例と同様に、説明の都合上、他の部分の図示を適宜省略したものであるから、図７〜９に示される例と図３〜６に示される例との相違は、単に図示の省略の仕方の相違に過ぎず、実質的に同様のものである。
【００６４】
本実施の形態におけるプラグ９０の挿入部９２の側面には、一対の係合凸部９４に加えて、一対のロック凸部９５が配設されている。該ロック凸部９５はロック補助爪部として機能する部材であって、挿入部９２が挿入開口５２から抜出ることを防止する部材である。そのため、本実施の形態における係合凸部９４は、挿入部９２が挿入開口５２から抜出ることを防止する部材として機能しなくてもよいが、前記第１の実施の形態と同様に、プラグ端子として機能するだけでなく、挿入部９２が挿入開口５２から抜出ることを防止する部材として機能するものであってもよい。
【００６５】
そして、一対の係合凸部９４は、挿入部９２の中心軸に関して１８０度対称となるように配設され、一対のロック凸部９５も、挿入部９２の中心軸に関して１８０度対称となるように配設される。なお、係合凸部９４とロック凸部９５とは、プラグ９０の前方から観ると、互いに９０度ずつずれた位置に配設される。
【００６６】
また、本実施の形態におけるプラグ９０は、挿入部９２の前端から更に前方に向けて延出する部材であって円錐台を逆さまにしたような形状の前端凸部９６を備える。該前端凸部９６は、少なくともその峰の表面は金属等の導電性部材から成り、電線ケーブル９１が含む図示されない導電性の芯線に接続され、プラグ端子として機能する。すなわち、本実施の形態におけるプラグ９０は、３つのプラグ端子を備える３極の雄コネクタである。
【００６７】
本実施の形態において、挿入開口５２は、断面が円形の円筒状部５２ｃと、該円筒状部５２ｃの側面から凹入する凹部としての一対の係合凹部５２ａに加えて、円筒状部５２ｃの側面から凹入する補助凹部としての一対のロック凹部５５ａとを含んでいる。該ロック凹部５５ａは、プラグ９０のロック凸部９５が進入する部分であり、円筒状部５２ｃの中心軸に関して１８０度対称となるように、配設されている。なお、係合凹部５２ａとロック凹部５５ａとは、レセプタクル５０の前方から観ると、互いに９０度ずつずれた位置に配設される。また、前記ロック凹部５５ａの上下に隣接する部分は、レセプタクル５０の前後方向に延在する挿入開口壁部材５５ｂであり、前記ロック凸部９５の後端を掛止してプラグ９０の抜けを防止する補助抜止め部として機能する。
【００６８】
なお、前記ロック凹部５５ａは、嵌合凹部５３内においてより幅が広い幅広凹部５５ｃに連通する。そして、該幅広凹部５５ｃの側壁５５ｄは、ロック凸部９５が当接することによってプラグ９０の回転を所定回転角度で停止させるストッパとして機能する。なお、前記所定回転角度は、前記第１の実施の形態と同様である。
【００６９】
そして、レセプタクル５０の後端には、嵌合凹部５３の後端から突出するプラグ９０の前端凸部９６と接触する端子部材としての後端子６３が配設されている。該後端子６３は、金属等の導電性部材から成り、レセプタクル端子として機能する。すなわち、本実施の形態におけるレセプタクル５０は、３つのレセプタクル端子を備える３極の雌コネクタである。
【００７０】
なお、その他の点の構成については、前記第１の実施の形態と同様であるので、その説明を省略する。
【００７１】
本実施の形態においては、プラグ９０をレセプタクル５０に嵌合する際には、イヤホン１０の使用者は、まず、図７（ｂ）及び（ｃ）並びに図８に示されるように、プラグ９０の先端面をレセプタクル５０の嵌合面５０ａに対向させ、プラグ９０の中心軸と挿入開口５２の中心軸とが同軸となるように整列させ、さらに、係合凸部９４と係合凹部５２ａとが対向するとともに、ロック凸部９５とロック凹部５５ａとが対向するように、プラグ９０の姿勢を整える。
【００７２】
この状態で、プラグ９０及び／又はレセプタクル５０を相手側に接近する方向に移動させ、挿入部９２を挿入開口５２に挿入する。すると、挿入部９２は円筒状部５２ｃを通って嵌合凹部５３内に進入する。また、係合凸部９４及びロック凸部９５も係合凹部５２ａ及びロック凹部５５ａを通って嵌合凹部５３内に進入する。そして、挿入部９２の挿入開口５２への挿入が完了すると、すなわち、プラグ９０がレセプタクル５０に差込まれると、図７（ａ）、図９（ａ）、（ｂ）及び（ｃ）に示されるような状態になる。
【００７３】
この場合、係合凸部９４及びロック凸部９５の後端は、係合凹部５２ａ及びロック凹部５５ａを通り越して、挿入開口壁部材５２ｂ及び５５ｂの後端よりもレセプタクル５０の後端寄りに位置する。すなわち、係合凸部９４及びロック凸部９５の全体が、係合凹部５２ａ及びロック凹部５５ａを通り越して、嵌合凹部５３内に位置している。また、係合凸部９４が端子部材６１の接触凸部６１ｂに当接し、接触ばね部６１ａを弾性的に変形させる。さらに、前端凸部９６が後端子６３と接触する。
【００７４】
続いて、イヤホン１０の使用者は、レセプタクル５０に対してプラグ９０を回転させる。図に示される例では、図９（ｅ）に示されるように、レセプタクル５０の後方から観て、反時計回り方向である。すると、係合凸部９４及びロック凸部９５と係合凹部５２ａ及びロック凹部５５ａとの位置がずれることになり、係合凸部９４及びロック凸部９５の後端は、挿入開口壁部材５２ｂ及び５５ｂの後端に対向する。すなわち、係合凸部９４及びロック凸部９５がロック爪部として機能し、その後端が挿入開口壁部材５２ｂ及び５５ｂに掛止されるので、プラグ９０がロックされてレセプタクル５０から抜出ることが禁止される。
【００７５】
また、プラグ９０が回転すると、前記第１の実施の形態と同様に、接触ばね部６１ａの発揮するばね力によって、プラグ９０を更に反時計回り方向に回転させるようなモーメントが発生する。そのため、プラグ９０は、更に反時計回り方向に回転する。
【００７６】
しかし、プラグ９０がある程度回転すると、図９（ｅ）に示されるように、ロック凸部９５が幅広凹部５５ｃの側壁５５ｄにそれぞれ当接するので、プラグ９０の回転が停止する。また、前記第１の実施の形態と同様に、プラグ９０が所定回転角度だけ回転した状態において、プラグ９０は、依然として、反時計回り方向に回転するようなモーメントを接触ばね部６１ａの接触凸部６１ｂから受続けている。
【００７７】
これにより、振動その他の外力をイヤホン１０や電線ケーブル９１が受けた場合であっても、プラグ９０が逆方向に回転することがないので、係合凸部９４及びロック凸部９５の後端が挿入開口壁部材５２ｂ及び５５ｂに掛止された状態が維持され、プラグ９０がレセプタクル５０から抜出ることが確実に防止される。
【００７８】
このように、本実施の形態において、プラグ９０は、挿入部９２の側面から突出するロック凸部９５を更に備え、挿入開口５２は、ロック凸部９５が通過するロック凹部５５ａと、ロック凹部５５ａに隣接して形成された挿入開口壁部材５５ｂとを更に含み、挿入部９２が挿入開口５２に挿入され、ロック凸部９５がロック凹部５２ａを通過して嵌合凹部５３内に収容された後、挿入部９２が回転させられると、挿入開口壁部材５５ｂがロック凸部９５を掛止し、挿入部９２が挿入開口５２から抜出ることを防止する。
【００７９】
これにより、挿入部９２が挿入開口５２から不要に抜出ることがより確実に防止されるので、イヤホン用コネクタの信頼性を向上させることができる。
【００８０】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００８１】
図１０は本発明の第３の実施の形態におけるイヤホン用コネクタの斜視図、図１１は本発明の第３の実施の形態におけるイヤホン用コネクタの嵌合前の状態を示す二面図、図１２は本発明の第３の実施の形態におけるイヤホン用コネクタの動作を説明する図である。なお、図１０において、（ａ）はプラグをレセプタクルに差込んだ状態を示す斜視図、（ｂ）はプラグをレセプタクルに差込む前の状態を示す第１の斜視図、（ｃ）はプラグをレセプタクルに差込む前の状態を示す第２の斜視図であり、図１１において、（ａ）は側面図、（ｂ）は下面図であり、図１２において、（ａ）はプラグをレセプタクルに差込んだ状態を示す側面図、（ｂ）はプラグをレセプタクルに差込んだ状態を示す下面図、（ｃ）はプラグをレセプタクルに差込んだ状態を示す背面図、（ｄ）はプラグをレセプタクルに差込んだ状態で回転させた側面図、（ｅ）はプラグをレセプタクルに差込んだ状態で回転させた背面図である。
【００８２】
本実施の形態におけるプラグ９０の挿入部９２の側面に配設された係合凸部９４は、一つだけである。すなわち、本実施の形態において、係合凸部９４は単数であって、前記第１及び第２の実施の形態のように、複数ではない。
【００８３】
そのため、レセプタクル５０の挿入開口５２が含む係合凹部５２ａも、単数であって複数ではない。そして、係合凸部９４と接触し、レセプタクル端子として機能する端子部材６１も、単数であって複数ではなく、前記端子部材６１に接続される接続テール部６２も、単数であって複数ではない。
【００８４】
なお、その他の点の構成については、前記第２の実施の形態と同様であるので、その説明を省略する。
【００８５】
また、プラグ９０をレセプタクル５０に嵌合する際の動作についても、係合凸部９４、係合凹部５２ａ、端子部材６１等が単数であって複数ではない点を除いては、前記第２の実施の形態と同様であるので、その説明を省略する。
【００８６】
なお、本発明は前記実施の形態に限定されるものではなく、本発明の趣旨に基づいて種々変形させることが可能であり、それらを本発明の範囲から排除するものではない。
【産業上の利用可能性】
【００８７】
本発明は、イヤホン用コネクタに適用することができる。
【符号の説明】
【００８８】
１０    イヤホン
１１    筐体
１２    前筐体
１２ａ    基部
１３    後筐体
１３ａ    後面部
１６    円錐部
１７    挿入部取付部
１７ａ    収容凹部
２１    前方空間
２２    筐体音導孔
２４    後方空間
４１    ドライバユニット
５０    レセプタクル
５０ａ    嵌合面
５２    挿入開口
５２ａ    係合凹部
５２ｂ、５５ｂ    挿入開口壁部材
５２ｃ    円筒状部
５３    嵌合凹部
５３ａ    第１側壁
５３ｂ    第２側壁
５５ａ    ロック凹部
５５ｃ    幅広凹部
５５ｄ    側壁
６１    端子部材
６１ａ    接触ばね部
６１ｂ    接触凸部
６１ｃ、７１    本体部
６２    接続テール部
６２ａ    接続端部
６３    後端子
７０    イヤーピース
７２    取付部
７３    ピース音導孔
７４    膨出部
７５    先端部
９０    プラグ
９１、８９１    電線ケーブル
９２    挿入部
９３、８１５    ケーブル保持部
９４    係合凸部
９５    ロック凸部
９６    前端凸部
８１１    ハウジング
８１３    後部ハウジング
８４８    保護板
【図１】
2013026768.tif 000003
【図２】
2013026768.tif 000004
【図３】
2013026768.tif 000005
【図４】
2013026768.tif 000006
【図５】
2013026768.tif 000007
【図６】
2013026768.tif 000008
【図７】
2013026768.tif 000009
【図８】
2013026768.tif 000010
【図９】
2013026768.tif 000011
【図１０】
2013026768.tif 000012
【図１１】
2013026768.tif 000013
【図１２】
2013026768.tif 000014
【図１３】
2013026768.tif 000015